(57)【要約】【課題】花火火薬への確実な着火が確保され、安全性の高い玩具花火を提供する。【解決手段】花火火薬充填部の一部分に接着剤６により導火紙片５を取り付けてなる玩具花火１０において、前記接着剤６に着火薬を混合したことを特徴とする。手持ち花火の場合には、柄棒１の手前側を手持部１ａとし、前記柄棒の前半側１ｂに、花火火薬２を充填した薬筒３を取り付け、前記薬筒３の先端部分に接着剤６により導火紙片５を取り付けてなる玩具花火１０において、前記接着剤６に着火薬を混合したことを特徴とする。前記着火薬の組成は、例えば、硝酸カリウム５０重量％、木炭２５重量％、イオウ１０重量％、硝酸バリウム１５重量％とする。前記導火紙片としては、薄紙に硝酸カリウムを浸漬又は塗布させたのち乾燥させたものを用いることが望ましい。また、前記導火紙片５が前記薬筒３の先端で捩られた構造とすることが望ましい。【選択図】図３
0003169725.tif 000002
【実用新案登録請求の範囲】
【請求項１】
花火火薬充填部の一部分に接着剤により導火紙片を取り付けてなる玩具花火において、前記接着剤に着火薬を混合したことを特徴とする、玩具花火。
【請求項２】
前記花火火薬充填部における前記着火薬を混合した接着剤による導火紙片の取付部分に、着火薬を付着させたことを特徴とする、請求項１に記載の玩具花火。
【請求項３】
前記花火火薬充填部が薬筒として形成され、前記薬筒が柄棒を具え、前記柄棒の手前側を手持部とし、前記柄棒の前半側に前記薬筒を取り付け、前記薬筒の先端及び先端近くの外周面に接着剤により導火紙片を取り付けてなる玩具花火において、前記接着剤に着火薬を混合したことを特徴とする、請求項１に記載の玩具花火。
【請求項４】
前記薬筒内に充填した花火火薬の先端面から薬筒の先端面までの領域の少なくとも一部に着火薬を付着させたことを特徴とする、請求項３に記載の玩具花火。
【請求項５】
前記着火薬の組成が、硝酸カリウム５０重量％、木炭２５重量％、イオウ１０重量％、硝酸バリウム１５重量％であることを特徴とする、請求項１乃至４のいずれか１項に記載の玩具花火。
【請求項６】
前記導火紙片が薄紙に硝酸カリウムを浸漬又は塗布させたのち乾燥させたものであることを特徴とする、請求項１乃至５のいずれか１項に記載の玩具花火。
【請求項７】
前記導火紙片が前記薬筒の先端で捩られていることを特徴とする、請求項３乃至６のいずれか１項に記載の玩具花火。
【考案の詳細な説明】
【技術分野】
【０００１】
本考案は、着火性能に優れた玩具花火に関するものである。
【背景技術】
【０００２】
従来の玩具花火の多くは、先端に着火のための薄紙（導火紙片）を有し、これにローソクで点火してその火を薬筒内の花火火薬まで導くようになっている。
しかしながら、ローソク等の炎は僅かな風でも消えることが多く、また、花火が湿っていると着火が困難となり、着火に失敗することも多かった。着火途中で立ち消えた花火の状態を確認するため顔を近づけたり、再点火したりしたとき、突然花火が噴射し、事故につながる危険もあった。
そのような事故を防ぐため、花火とは別に下記特許文献１に記載のような玩具花火用の特別の点火具も開示されている。
また、花火火薬の表面にラッカー等を塗布し、薬筒や導火紙片を用いないスパークラー等の玩具花火においては、先端域の花火火薬の表面に点火薬を塗布したものも、下記特許文献２及び３において開示されている。
更にまた、薬筒内の花火火薬の先端部分に着火薬を充填若しくは塗布したものも提供されているが、乾燥により花火火薬や着火薬が収縮し、着火薬の表面が凹状に窪んだ状態となることが多く、そのため、導火紙片からの火が着火薬に達することができず、立ち消えすることも多かった。
このように、導火紙片に点火してその火を薬筒内の花火火薬まで導くようにした玩具花火において、確実に着火可能なものは未だ提供されていなかった。
【先行技術文献】
【特許文献】
【０００３】
【特許文献１】特開２００６−１３８５７４号公報
【特許文献２】実公昭５１−４６４６５号公報
【特許文献３】実公昭５８−２７２８０号公報
【考案の概要】
【考案が解決しようとする課題】
【０００４】
本考案の目的とするところは、通常のローソク等の炎で容易に点火できる安全性の高い玩具花火を提供せんとするにある。
【課題を解決するための手段】
【０００５】
上記目的を達成するため、本考案は、花火火薬充填部の一部分に接着剤により導火紙片を取り付けてなる玩具花火において、前記接着剤に着火薬を混合したことを特徴とする。
更に望ましくは、前記花火火薬充填部における前記着火薬を混合した接着剤による導火紙片の取付部分に、着火薬を付着（本願において、塗布、充填を含む。以下、同様。）させたことを特徴とする。
最も一般的な手持ち花火の場合、即ち、前記花火火薬充填部が薬筒として形成され、前記薬筒が柄棒を具え、前記柄棒の手前側を手持部とし、前記柄棒の前半側に前記薬筒を取り付け、前記薬筒の先端及び先端近くの外周面に接着剤により導火紙片を取り付けてなる玩具花火の場合においても、本考案は前記接着剤に着火薬を混合したことを特徴とする。
この場合、更に望ましくは、前記薬筒内に充填した花火火薬の先端面から薬筒の先端面までの領域の少なくとも一部に着火薬を付着させたことを特徴とする。
なお、本考案が適用可能な玩具花火は手持ち花火に限られる訳ではなく、導火紙片を有する各種各様の花火に広く適用可能である。
前記着火薬の組成としては、例えば、硝酸カリウム５０重量％、木炭２５重量％、イオウ１０重量％、硝酸バリウム１５重量％のものが好適に用いられるが、これに限定されるものではない。
前記導火紙片としては、薄紙に硝酸カリウムを浸漬又は塗布させたのち乾燥させたものを用いることが推奨される。
また、前記導火紙片を前記薬筒の先端で捩るようにすることが望ましい。
【考案の効果】
【０００６】
花火火薬充填部の一部分に導火紙片を取り付けるために用いる接着剤中に着火薬を混合することにより、花火火薬充填部の近くで導火紙片５が勢い良く燃え、これにより導火紙片から花火火薬充填部内の花火火薬への火の移りが極めて迅速かつ円滑に行われるため、花火火薬への確実な着火が可能となるものである。
なお、前記接着剤中に着火薬を混合するのに加えて、更に、前記花火火薬充填部における前記導火紙片の取付部分に着火薬を付着させることによって、一層良好な着火性能を得ることができる。
【図面の簡単な説明】
【０００７】
【図１】本考案に係る玩具花火の一実施例を示す側面図である。
【図２】図１に示した玩具花火の断面図である。
【図３】図２に示した玩具花火の断面図の要部拡大図である。
【図４】本考案に係る玩具花火のもう一つの実施例を示す要部拡大図である。
【考案を実施するための形態】
【０００８】
以下、本考案に係る玩具花火の好ましい実施形態を図面に基いて説明するが、本考案はこの実施形態に限らず、本考案の技術的範囲内で、例えば花火の形態やデザイン上の理由等によりさまざまな設計変更を行うことが可能である。
【０００９】
図１〜図３に示した実施例における玩具花火１０は、手持ちタイプのものであり、基本的に、柄棒１と、花火火薬２を詰めた薬筒３と、薬筒３の先端に取り付けられた導火紙片５と、柄棒１及び薬筒３の外面に巻き付けられて両者を互いに固定する外装材７と、から構成されている。
【００１０】
柄棒１としては、竹棒や針金が用いられる。
薬筒３には、先端側から、例えばピンク色光火薬２ａ、オレンジ色光火薬２ｂ、白色光火薬２ｃが充填されており、花火開始から終了までの時間経過に応じて噴射火花の色が変化するようになっている。薬筒３の最も手元側には、火薬の漏れを防ぐと共に、炎が手元まで及ばないようにするための土や石こう等から成る底止め４が設けられている。
【００１１】
導火紙片５は、接着剤６によって薬筒３の先端及び先端近くの外周面に貼り付けられるが、着火性能を向上させるために、本考案においては、この接着剤６中に着火薬を混合する。
即ち、本考案においては、導火紙片５の手前部分５ｂの片面に着火薬入り接着剤６を塗り付け、これを薬筒３の先端及び先端近くの外周面に付着させることにより、導火紙片５を薬筒３の先端領域に貼り付けるようにする。このように、導火紙片５を着火薬入り接着剤６によって薬筒３に取り付けると、導火紙片５に点けた火が薬筒３の先端近くまで及んだとき、前記接着剤６に混合した着火薬により、導火紙片５が勢い良く燃え、これによって導火紙片５からピンク色光火薬２ａへの火の移りを確実に行わせ得るものである。なお、前記着火薬入り接着剤６を導火紙片５に塗り付けるのではなく、薬筒３の先端及び先端近くの外周面に塗り付け、その上に導火紙片５の手前部分５ｂを被せて貼り付けるようにしてもよい。
【００１２】
着火薬入り接着剤６における接着剤の種類としては、例えば澱粉（デンプン）系の糊などが好適に用いられるが、これに限らず、燃焼しやすい接着剤で、極端な異臭等を発生しないものであれば、各種接着剤を広く使用できる。
前記着火薬の組成は、特に限定はされないが、例えば、硝酸カリウム５０重量％、木炭２５重量％、イオウ１０重量％、硝酸バリウム１５重量％のものを好適に使用できる。
接着剤と着火薬の混合比も、両者の組成等によって異なるが、例えば重量比で接着剤：着火薬＝３：１０程度とする。図示した実施例において、接着剤０．０３ｇに対して着火薬を０．１ｇ混合した接着剤により導火紙片を薬筒３の先端及び先端近くの外周面に貼り付けることによって良好な着火性能が得られた。
【００１３】
前記導火紙片５は、好適には、薄紙に硝酸カリウムを含浸又は塗布させたものであり、硝酸カリウム溶液を薄紙に塗布したのち乾燥させたり、硝酸カリウム溶液に薄紙を浸漬したのち乾燥させたりして作製される。通常は、大サイズの薄紙若しくは長いテープ状の薄紙に、硝酸カリウム溶液を塗布又は浸漬させたのち乾燥させ、所定のサイズに裁断して導火紙片５とする。
導火紙片５として、上記の如く、硝酸カリウムを含浸又は塗布させたものを用いることにより、硝酸カリウムの酸化剤としての機能によって、導火紙片５が途中で立ち消えることがなくなり、着火薬入り接着剤６への確実な着火が確保されるものである。
導火紙片５の手前部分５ｂは、図２及び第３図に示すように、薬筒３とその外周面を覆う外装材７との間に挟み込んで接着することにより、前記着火薬入り接着剤６を介して花火火薬２への点火が確実に行われ得る。
また、図示するように、導火紙片５を薬筒３の先端で捩（よじ）って、捩り部５ｃを形成することにより、前記着火薬入り接着剤６が絞り出されてピンク色光火薬２ａの先端面と確実に接触し、当該接着剤６から花火火薬２への確実な着火が可能となるものである。
【００１４】
花火火薬２のうち前記ピンク色光火薬２ａの組成は、例えば、過塩素酸カリウム４５重量％、マグナリウム１０重量％、酸化銅５重量％、炭酸ストロンチウム１０重量％、フェノールアルデヒド樹脂５重量％、アルミ粒５重量％、イオウ５重量％、デンプン５重量％、ポリ塩化ビニール１０重量％であるが、必ずしもこれに限定されるものではない。
前記オレンジ色光火薬２ｂの組成は、例えば、過塩素酸カリウム２０重量％、マグナリウム１５重量％、酸化銅５重量％、炭酸ストロンチウム１０重量％、フェノールアルデヒド樹脂５重量％、アルミ粒５重量％、イオウ２重量％、デンプン３重量％、硝酸バリウム２５重量％、氷晶石１０重量％であるが、必ずしもこれに限定されるものではない。
前記白色光火薬２ｃの組成は、例えば、過塩素酸カリウム６０重量％、マグナリウム１５重量％、木炭２重量％、アルミ粒１０重量％、フェノールアルデヒド樹脂５重量％、デンプン８重量％であるが、必ずしもこれに限定されるものではない。
【００１５】
製造時には、薬筒３に前記の如き底止め４や各種火薬２ａ〜２ｃを順次充填し、薬筒３の先端まで充填した後、必要に応じて所定時間乾燥させる。次いで、導火紙片５の手前部分５ｂの片面に前記着火薬入り接着剤６を塗り付け、これを薬筒３の先端及び先端近くの外周面に貼り付ける。このとき、薬筒３の先端で導火紙片５を１〜２回捩り、絞り出された接着剤６が薬筒３の先端内部の花火火薬２ａに付着するようにすることが望ましい。なお、接着剤６は必ずしも薬筒３の先端内部の花火火薬２ａにまで付着していなくても、接着剤６に混合された着火薬によって当該着火薬や導火紙片５が勢い良く燃えるため、花火火薬２ａも引火して花火火薬２ａへの着実な着火が確保されるものである。なお、前記着火薬入り接着剤６を導火紙片５に塗り付けるのではなく、薬筒３の先端及び先端近くの外周面に塗り付け、その上に導火紙片５の手前部分５ｂを被せて貼り付けるようにしてもよいことは前記の通りである。
【００１６】
次いで、薬筒３を柄棒１の前半部１ｂに取り付ける。薬筒３の柄棒１への取付けは、両者を平行に揃え持った状態で両者の外周をテープ状のホイルや紙等から成る外装材７を螺旋状に巻き付けながら糊付けすることにより、薬筒３と柄棒１を固定することができる。外装材７を巻き付ける前に、予め柄棒１と薬筒３を接着しておいてもよい。
【００１７】
花火１０の使用時には、先端の導火紙片５の点火部５ａにローソク２０等で点火すると、導火紙片５はこれに含浸又は塗布された硝酸カリウムの酸化作用により立ち消えや着火不良を生じることなく燃え続け、着火薬入り接着剤６への着火が円滑かつ確実に行われる。着火薬入り接着剤６もこれに含まれる着火薬の作用により、勢い良く安定して燃え、薬筒３内の花火火薬２ａ〜２ｃへと確実に着火できるものである。
【００１８】
なお、本考案に係る玩具花火の各部の寸法（単位：ｍｍ）の一例は、図２に示した例において、導火紙片５の点火部５ａを除く花火全体の長さａ＝２１４、手持ち部１ａの長さｂ＝１３４、柄棒１と薬筒３との接合部の長さｃ＝７８、薬筒３の花火火薬の充填部の長さｄ＝６５、薬筒３の底止め４の長さｅ＝１５、薬筒３の直径ｆ＝４.5、柄棒１の直径ｇ＝２である。
【００１９】
図４には本考案に係る玩具花火のもう一つの実施例が示されている。
この実施例においては、薬筒３の先端側に充填したピンク色光火薬２ａの先端面に着火薬８を付着（塗布、充填を含む。）させた上で、前記と同様に着火薬入り接着剤６を用いて導火紙片５を薬筒３の先端及び先端近くの外周面に貼り付けてある。着火薬８は、ピンク色光火薬２ａの先端面から薬筒３の先端面に至るまで充分な量を付着させることが望ましいが、必ずしもそれに限定されるものではなく、薬筒３に充填した花火火薬の先端面から薬筒３の先端面までの領域の少なくとも一部に着火薬８を付着させておけばよい。
このように、着火薬８を付着させておくことによって、導火紙片５及び前記着火薬入り接着剤６の火が着火薬８に速やかに燃え移り、ピンク色光火薬２ａへの着火が迅速、確実に行われるものであるから、前記実施例のものより一層良好な着火性能が得られるものである。
【００２０】
なお、本考案は上記の実施例に限定されず、導火紙片を有する花火であれば、例えば、地面に立てて着火する円筒形の玩具花火や、地面に置いて着火する球形の玩具花火等にも適用可能である。
従って、本考案は、一般的に、花火火薬充填部の一部分に接着剤により導火紙片を取り付けてなる玩具花火において、前記接着剤に着火薬を混合したことを特徴とする玩具花火である。
更にまた、そのような玩具花火において、前記花火火薬充填部における前記着火薬を混合した接着剤による導火紙片の取付部分に、着火薬を付着させたことを特徴とする玩具花火である。ここで、花火火薬充填部とは、図示した実施例においては薬筒３を指すが、例えば花火火薬を薄紙で丸く包み、これに導火紙片を接着剤により取り付けるような球形の花火においては、前記花火火薬を薄紙で丸く包んだものを花火火薬充填部と称するものである。
【産業上の利用可能性】
【００２１】
本考案に係る玩具花火においては、導火紙片を、着火薬入り接着剤によって薬筒等の花火火薬充填部の一部分に取り付けたことにより、接着剤部分での立ち消えを生じることがなくなり、花火火薬への確実な着火が確保され、着火が容易で、安全性の高い玩具花火を提供することができる。
【符号の説明】
【００２２】
１      柄棒
２      花火火薬
３      薬筒
４      底止め
５      導火紙片
６      着火薬入り接着剤
７      外装材
８      着火薬
２ａ    ピンク色光火薬
２ｂ    オレンジ色光火薬
２ｃ    白色光火薬
５ａ    点火部
５ｂ    手前部分
５ｃ    捩り部
１０    玩具花火
２０    点火用ローソク
【図１】
0003169725.tif 000003
【図２】
0003169725.tif 000004
【図３】
0003169725.tif 000005
【図４】
0003169725.tif 000006